(57)【要約】【課題】固体撮像素子の全画素を必要としない動画モード等において、間引き処理により無駄となる信号電荷を利用して、転送速度を維持したままフレームレートを速めて、信号電荷の転送効率を高め、滑らかな動画表示を可能にすること。【解決手段】光電変換素子１に蓄積される信号電荷を、第１の素子列群（奇数列）３Ａからの信号電荷と、第２の素子列群（偶数列）３Ｂからの信号電荷に分割して転送すると共に、第１の素子列群３Ａおよび第２の素子列群３Ｂからの信号電荷の転送駆動を、一列分の光電変換素子１の１／ｎ（ｎは２以上の正整数）ずつずらして垂直転送することで、複数フレームの画像信号を電荷転送部３で混在させつつ高速に出力させる。【選択図】図４
2009141578.tif 000002
【特許請求の範囲】
【請求項１】
行方向およびこれと直交する列方向に沿って複数配列された光電変換素子により光電変換された信号電荷を、前記光電変換素子に隣接して前記列方向に沿って延設された複数の電荷転送部に読み出し、該読み出された信号電荷を出力部に転送して、該転送された信号電荷に応じた画像信号を外部に出力する固体撮像素子の駆動方法であって、
前記光電変換素子のうち、前記行方向の一端側から所定の列数毎に配列される第１の素子列群に対する信号電荷を、それぞれの光電変換部に対応する前記電荷転送部に選択的に読み出す第１ステップと、
前記電荷転送部に対して、前記列方向に形成されるポテンシャルバリア領域とポテンシャルウェル領域の対からなる電荷転送段の全段のうち所定段数分を電荷転送駆動する第２ステップと、
前記配列された光電変換素子のうち、前記第１の素子列群を除いた残りの第２の素子列群に対する光電変換素子の信号電荷を、それぞれの光電変換部に対応する前記電荷転送部に選択的に読み出す第３ステップと、
前記電荷転送部に対して、前記所定段数分を転送駆動する第４ステップと、
を繰り返す固体撮像素子の駆動方法。
【請求項２】
請求項１記載の固体撮像素子の駆動方法であって、
前記第２ステップおよび前記第４ステップで転送駆動される所定段数は、前記光電変換素子の前記列方向一列分の個数の１／ｎ（ｎは２以上の正整数）である固体撮像素子の駆動方法。
【請求項３】
請求項１または請求項２記載の固体撮像素子の駆動方法であって、
前記第１ステップで前記光電変換素子から読み取る信号電荷と、
前記第３ステップで前記光電変換素子から読み取る信号電荷と、が互いに異なる受光期間の信号電荷である固体撮像素子の駆動方法。
【請求項４】
請求項１〜請求項３のいずれか１項記載の固体撮像素子の駆動方法により出力される画像信号を処理する信号処理方法であって、
前記第２ステップと前記第４ステップで出力される画像信号を、前記第１の列群からの信号電荷分と前記第２の列群からの信号電荷分とを選択的に振り分けて、前記第１の列群からの信号電荷に基づく画像信号により第１のフレーム画像を生成し、前記第２の列群からの信号電荷に基づく画像信号により第２のフレーム画像を生成する信号処理方法。
【請求項５】
請求項４記載の信号処理方法であって、
前記第１のフレーム画像と前記第２のフレーム画像の座標を、前記第１の列群に対する光電変換素子の空間配置位置と、前記第２の列群に対する光電変換素子の空間配置位置との相対的なずれを維持するにように補正する信号処理方法。
【請求項６】
請求項４または請求項５記載の信号処理方法であって、
前記光電変換素子の配列は、前記列方向に沿って１つ毎に同色の色成分を検出する光電変換素子が配列された第１の列と、該第１の列に対して配列ピッチの１／２だけ前記行方向及び列方向にずれた位置に配列された第２の列と、を前記行方向に繰り返し配置した配列である信号処理方法。
【請求項７】
請求項４または請求項５記載の信号処理方法であって、
前記光電変換素子の配列は、前記列方向に沿って同色の色成分を検出する光電変換素子が隣接して配置されたブロックが検出色毎に複数ブロック配列された第１の列と、該第１の列と同じ色配列の第２の列と、を前記行方向に繰り返し配置した配列であり、
前記同じ列内の前記同じブロック内をそれぞれ画素混合する信号処理方法。
【請求項８】
行方向およびこれと直交する列方向に沿って複数配列された光電変換素子により光電変換された信号電荷を、前記光電変換素子に隣接して前記列方向に沿って延設された複数の電荷転送部に読み出し、該読み出された信号電荷を出力部に転送して、該転送された信号電荷に応じた画像信号を外部に出力する固体撮像素子と、
請求項１〜請求項３のいずれか１項記載の固体撮像素子の駆動方法に基づいて前記固体撮像素子を駆動制御する制御手段と、
を備えた撮像装置。
【請求項９】
請求項８記載の撮像装置であって、
請求項４〜請求項７のいずれか１項記載の信号処理方法を行う信号処理手段を備えた撮像装置。
【発明の詳細な説明】
【技術分野】
【０００１】
本発明は、固体撮像素子の駆動方法および信号処理方法、ならびに撮像装置に関する。
【背景技術】
【０００２】
デジタルカメラ等に用いられる固体撮像素子（ＣＣＤ(charge coupled device)）の従来の駆動方法は、図１３および図１４に示すように行われている。
図１３に固体撮像素子を駆動するタイミングチャート、図１４に垂直電荷転送部における信号電荷の転送の状態（ａ）〜（ｄ）を示す概念説明図を示した。なお、図１４には光電変換素子を省略して垂直電荷転送部および水平電荷転送部のみを示している。
図１３に示すように、第１露光期間７１において光電変換素子は、受光する受光光量に比例した信号荷電を蓄積する。この信号荷電は第１フレーム７３での画像形成データとして使用される。このとき、固体撮像素子の垂直電荷転送部３および水平電荷転送部５は、図１４（ａ）に示すように信号電荷が空の初期状態となっている。ここで、垂直同期信号ＶＤ１のタイミングに同期して読出しパルスＴＧ１を各光電変換素子と垂直電荷転送部３との間に設けられた読出しゲート（図示せず）に印加すると、光電変換素子に蓄積されていた信号電荷は、一斉に垂直電荷転送部３に転送されて図１４（ｂ）に示す状態となる。ここで、図１４の●印は信号電荷を表している。
【０００３】
この固体撮像素子は、タイミング信号発生回路によって生成した垂直転送制御信号および水平転送制御信号Ｈ１，Ｈ２を、各垂直電荷転送部３および水平電荷転送部５にそれぞれ印加して、垂直電荷転送部３の信号荷電を１行ずつ水平電荷転送部５に転送し、水平電荷転送部５は転送された１行分の信号電荷を水平方向に順次に転送して出力増幅器７で増幅し、出力端子ＯＵＴから出力する（図１４（ｃ）参照）。そして、全ての信号荷電が出力されると、図１４（ｄ）に示すように、垂直電荷転送部３が空状態となり、元の状態に戻って第１フレーム７３の信号電荷の転送が終了する。
【０００４】
このとき、上記した信号電荷の転送を行いながら、第１フレーム７３の後半に設けられた第２露光期間７５において、光電変換素子に第２フレーム７７のための信号荷電を蓄積する。そして、読出しパルスＴＧ２を読出しゲートに印加して、光電変換素子に蓄積されていた信号電荷を一斉に垂直電荷転送部３に転送すると、再び図１４（ｂ）に示す状態となる。以後、同様に繰り返すことによって固体撮像素子が駆動される。なお、図１３に示す符号、ＨＤは水平同期信号、ＲＳはリセット信号、ＯＦＤはオーバーフロードレイン信号である。
【０００５】
ところで、この種のデジタルカメラ等に用いられる高画素数の固体撮像素子（ＣＣＤ：charge coupled device)で動画を撮像する場合には、画素の間引き読み出しや画素信号の加算等を行い、解像度を下げてフレームレートの高速化を図っている。
例えば特許文献１には、間引き読み出しした複数の画素信号を加算してフィールド画像を生成し、得られた２フィールド画像により１フレームの画像を構成することで、感度や解像度の低下を抑える技術が開示されている。また、特許文献２には、画素混合時に色フィルタのパターンと異なるパターンにしてしまう信号電荷を一旦間引きし、画素混合させずにそのまま読み出し、色フィルタのパターンと同じ位置関係の色パターンを得るようにする技術が開示されている。
【特許文献１】特開２００１−１４５０２５号公報
【特許文献１】特開２００３−２６４８４４号公報
【発明の開示】
【発明が解決しようとする課題】
【０００６】
しかしながら、上記のような間引き処理を行って読み出す画素を減らす場合、間引き率が高いほどフレームレートが速くなるが、その反面、解像度が落ち、読み出さない画素の信号が無駄になってしまう欠点がある。
【０００７】
本発明は上記状況に鑑みてなされたもので、固体撮像素子の全画素を必要としない動画モード等において、間引き処理により無駄となる信号電荷を利用して、転送速度を維持したままフレームレートを速めることを目的とし、もって、信号電荷の転送効率を高め、滑らかな動画表示を可能にする。
【課題を解決するための手段】
【０００８】
本発明の上記目的は、下記構成により達成される。
（１）  行方向およびこれと直交する列方向に沿って複数配列された光電変換素子により光電変換された信号電荷を、前記光電変換素子に隣接して前記列方向に沿って延設された複数の電荷転送部に読み出し、該読み出された信号電荷を出力部に転送して、該転送された信号電荷に応じた画像信号を外部に出力する固体撮像素子の駆動方法であって、
前記光電変換素子のうち、前記行方向の一端側から所定の列数毎に配列される第１の素子列群に対する信号電荷を、それぞれの光電変換部に対応する前記電荷転送部に選択的に読み出す第１ステップと、
前記電荷転送部に対して、前記列方向に形成されるポテンシャルバリア領域とポテンシャルウェル領域の対からなる電荷転送段の全段のうち所定段数分を電荷転送駆動する第２ステップと、
前記配列された光電変換素子のうち、前記第１の素子列群を除いた残りの第２の素子列群に対する光電変換素子の信号電荷を、それぞれの光電変換部に対応する前記電荷転送部に選択的に読み出す第３ステップと、
前記電荷転送部に対して、前記所定段数分を転送駆動する第４ステップと、
を繰り返す固体撮像素子の駆動方法。
【０００９】
この固体撮像素子の駆動方法によれば、第１の素子列群からの信号電荷と、第２の素子列群からの信号電荷に分割して転送し、それぞれを異なるフレーム画像のデータとして扱うことにより、列方向の解像度を低下させることなく、列方向に間引いたフレーム画像を連続して得ることができる。また、各素子列群からの信号電荷が電荷転送部により同時に転送されるため、転送効率が向上し、フレームレートが速められ、動画表示を行う場合に画面表示を滑らかにできる。
【００１０】
（２）  （１）記載の固体撮像素子の駆動方法であって、
前記第２ステップおよび前記第４ステップで転送駆動される所定段数は、前記光電変換素子の前記列方向一列分の個数の１／ｎ（ｎは２以上の正整数）である固体撮像素子の駆動方法。
【００１１】
この固体撮像素子の駆動方法によれば、転送駆動を一列分の光電変換素子の１／ｎとすることで、複数のフレーム画像を繰り返し出力させることができる。また、ｎを２とすることで２フレームの画像を電荷転送部で混在させつつ高速に出力させることが可能となる。
【００１２】
（３）  （１）または（２）記載の固体撮像素子の駆動方法であって、
前記第１ステップで前記光電変換素子から読み取る信号電荷と、
前記第３ステップで前記光電変換素子から読み取る信号電荷と、が互いに異なる受光期間の信号電荷である固体撮像素子の駆動方法。
【００１３】
この固体撮像素子の駆動方法によれば、第１の素子列群と、第２の素子列群との露光タイミングが異なることで、第１の素子列群によるフレーム画像と、第２の素子列群によるフレーム画像とを連続表示したときの時間差が均等になり、より滑らかな画像の出力が行える。
【００１４】
（４）  （１）〜（３）のいずれか１項記載の固体撮像素子の駆動方法により出力される画像信号を処理する信号処理方法であって、
前記第２ステップと前記第４ステップで出力される画像信号を、前記第１の列群からの信号電荷分と前記第２の列群からの信号電荷分とを選択的に振り分けて、前記第１の列群からの信号電荷に基づく画像信号により第１のフレーム画像を生成し、前記第２の列群からの信号電荷に基づく画像信号により第２のフレーム画像を生成する信号処理方法。
【００１５】
この信号処理方法によれば、第１の列群からの画像信号と、第２の列群からの画像信号をそれぞれ選択的に振り分けて、同種の画像信号として再構築することにより、電荷転送時では混在していた各列群からの信号電荷が、それぞれ異なるフレーム画像を生成できるようになる。
【００１６】
（５）  （４）記載の信号処理方法であって、
前記第１のフレーム画像と前記第２のフレーム画像の座標を、前記第１の列群に対する光電変換素子の空間配置位置と、前記第２の列群に対する光電変換素子の空間配置位置との相対的なずれを維持するにように補正する信号処理方法。
【００１７】
この信号処理方法によれば、第１の列群からのフレーム画像と、第２の列群からのフレーム画像の空間的なずれが維持されるように補正され、正確に位置合わせされた画像として出力できる。
【００１８】
（６）  （４）または（５）記載の信号処理方法であって、
前記光電変換素子の配列は、前記列方向に沿って１つ毎に同色の色成分を検出する光電変換素子が配列された第１の列と、該第１の列に対して配列ピッチの１／２だけ前記行方向及び列方向にずれた位置に配列された第２の列と、を前記行方向に繰り返し配置した配列である信号処理方法。
【００１９】
この信号処理方法によれば、第１の列群と第２の列群それぞれの検出色の配列を同一にでき、また、行方向および列方向に対する配列ピッチを一致させることができ、解像度の方向依存性をなくすことができる。
【００２０】
（７）  （４）または（５）記載の信号処理方法であって、
前記光電変換素子の配列は、前記列方向に沿って同色の色成分を検出する光電変換素子が隣接して複数配置されたブロックが検出色毎に複数ブロック配列された第１の列と、該第１の列と同じ色配列の第２の列と、を前記行方向に繰り返し配置した配列であり、
前記同じ列内の前記同じブロック内をそれぞれ画素混合する信号処理方法。
【００２１】
この信号処理方法によれば、第１の列群と第２の列群それぞれの検出色の配列を同一にでき、また、画素混合後には行方向および列方向に対する配列ピッチを一致させることができ、解像度の方向依存性をなくすことができる。
【００２２】
（８）  行方向およびこれと直交する列方向に沿って複数配列された光電変換素子により光電変換された信号電荷を、前記光電変換素子に隣接して前記列方向に沿って延設された複数の電荷転送部に読み出し、該読み出された信号電荷を出力部に転送して、該転送された信号電荷に応じた画像信号を外部に出力する固体撮像素子と、
（１）〜（３）のいずれか１項記載の固体撮像素子の駆動方法に基づいて前記固体撮像素子を駆動制御する制御手段と、
を備えた撮像装置。
【００２３】
この撮像装置によれば、列方向の解像度を低下させることなく、列方向に間引いたフレーム画像を連続して出力させることができる。また、各素子列群からの信号電荷が電荷転送部により同時に転送されるため、転送効率が向上し、フレームレートが速められ、動画表示を行う場合に画面表示を滑らかにできる。
【００２４】
（９）  （８）記載の撮像装置であって、
（４）〜（７）のいずれか１項記載の信号処理方法を行う信号処理手段を備えた撮像装置。
【００２５】
この撮像装置によれば、効率良く信号電荷の読み込みが行え、滑らかな動画表示性能を得ることができる。
【発明の効果】
【００２６】
本発明の固体撮像素子の駆動方法および信号処理方法、ならびに撮像装置によれば、固体撮像素子の全画素を必要としない動画モード等において、間引き処理により無駄となる信号電荷を利用することで、転送速度を維持したままフレームレートを速めることができる。また、信号電荷の転送効率を高め、滑らかな動画表示が可能となる。
【発明を実施するための最良の形態】
【００２７】
以下、本発明に係る固体撮像素子の駆動方法および信号処理方法、ならびに撮像装置の好適な実施の形態について、図面を参照して詳細に説明する。
（第１実施形態）
図１は固体撮像素子の基本構成を示すブロック図である。
本発明に係る固体撮像素子１００は、多数の光電変換素子１が平面上に行方向（矢印Ｘの方向）及び列方向（矢印Ｙの方向）に沿って二次元配置された撮像部９を有している。各々の光電変換素子１は、半導体で構成されるフォトダイオードからなり、各々の受光面に入射した光の強さと露光時間の長さとで定まる光量に応じた信号電荷を生成する。
【００２８】
二次元配置された多数の光電変換素子１のそれぞれが出力する信号電荷を、固体撮像素子１００の出力端子ＯＵＴから時系列のフレーム毎の信号として取り出すために、複数の垂直電荷転送部３と、水平電荷転送部５と、出力増幅器７とが、固体撮像素子１００に備わっている。
【００２９】
各々の垂直電荷転送部３は、光電変換素子１と隣接する位置に、列方向（図中矢印Ｙ方向）に向かって延設されており、１列分の光電変換素子１のそれぞれから信号電荷を受け取った後、列毎に信号電荷を矢印Ｙ方向に順次に転送する。
【００３０】
各列の垂直電荷転送部３の出力側には水平電荷転送部５が配置されており、垂直電荷転送部３から信号電荷が受け渡され、水平電荷転送部５上に１行分の信号電荷が転送される。水平電荷転送部５は、１行分の信号電荷を行方向（図中矢印Ｘ方向）に順次に転送する。水平電荷転送部５の出力に順番に現れる信号電荷は、出力増幅器７で増幅され、転送された信号電荷に応じた画像信号が出力端子ＯＵＴから出力される。
【００３１】
このような読み出し動作を実現するのに必要な制御信号、すなわち、垂直転送制御信号φＶ（通常は複数相の信号）と、水平転送制御信号φＨ（通常は複数相の信号）とが、図示しないタイミング信号発生回路によって生成され、固体撮像素子１００の各垂直電荷転送部３と、水平電荷転送部５とにそれぞれ印加される。
【００３２】
図２は図１に示す固体撮像素子１００を搭載した撮像装置のブロック図である。
このような固体撮像素子１００を搭載する本実施形態の撮像装置２００は、図２に示すように、撮影レンズ１１と、固体撮像素子（ＣＣＤ固体撮像素子）１００と、この両者の間に設けられた絞り１３と、赤外線カットフィルタ１５と、光学ローパスフィルタ１７とを備える。撮像装置２００の全体を統括制御するＣＰＵ１９は、フラッシュ発光部２１及び受光部２３を制御し、レンズ駆動部２５を制御して撮影レンズ１１の位置をフォーカス位置に調整し（ＡＦ制御）、絞り駆動部２７を介して絞り１３の開口量を制御（ＡＥ制御）して露光量調整を行う。これらの撮影レンズ１１、絞り１３，赤外線カットフィルタ１５，光学ローパスフィルタ１７の光学系は、固体撮像素子１００の受光領域に光学像を形成する。
【００３３】
また、ＣＰＵ１９は、撮像素子駆動部２９を介して固体撮像素子１００を駆動し、撮影レンズ１１を通して撮像した被写体画像を色信号として出力させる。ＣＰＵ１９には、操作部３１を通してユーザからの指示信号が入力され、ＣＰＵ１９はこの指示に従って各種制御を行う。
【００３４】
撮像装置２００の電気制御系は、固体撮像素子１００の出力に接続されたアナログ信号処理部３３と、このアナログ信号処理部３３から出力されたＲＧＢの色信号をデジタル信号に変換するＡ／Ｄ変換回路３５と、Ａ／Ｄ変換回路３５から出力されたデジタル信号を後述する光電変換素子１の第１の列群（例えば、奇数列）からの信号電荷分と第２の列群（例えば、偶数列）からの信号電荷分とに選択的に振り分けるセレクタ３７と、セレクタ３７で振り分けられたデジタル信号をそれぞれの列群ごとに蓄積する第１バッファ３９及び第２バッファ４０とを備え、これらはＣＰＵ１９によって制御される。なお、信号処理手段としては、これらセレクタ３７と第１バッファ３９及び第２バッファ４０が含まれる。
【００３５】
さらに、この撮像装置２００の電気制御系は、メインメモリ（フレームメモリ）４３に接続されたメモリ制御部４１と、ガンマ補正演算，ＲＧＢ／ＹＣ変換処理，画像合成処理等の画像処理を行うデジタル信号処理部４５と、撮像画像をＪＰＥＧ画像に圧縮したり圧縮画像を伸張したりする圧縮伸張処理部４７と、測光データを積算しデジタル信号処理部４５が行うホワイトバランス補正のゲインを求める積算部４９と、着脱自在の記録媒体５１が接続される外部メモリ制御部５３と、カメラ背面等に搭載された表示部５５が接続される表示制御部５７と、第１バッファ３９及び第２バッファ４０からのデジタル信号に基づいて表示部５５に画像を形成する際に適正画像となるように両者間の座標のずれを補正する座標補正部５９とを備え、これらは、制御バス６１及びデータバス６３によって相互に接続され、ＣＰＵ１９からの指令によって制御される。
【００３６】
次に、本発明の固体撮像素子の駆動方法および信号処理方法について説明する。
図３は本発明の固体撮像素子の駆動手順を示すタイミングチャート、図４は垂直電荷転送部における信号電荷の転送の状態（ａ）〜（ｆ）を示す概念説明図、図５はデジタル信号（画像信号）が撮像装置のセレクタによって振り分けられて信号処理される状態（ａ）〜（ｅ）を示す概念説明図である。なお、図４には光電変換素子を省略して垂直電荷転送部および水平電荷転送部のみを示している。また、便宜上、奇数列の信号電荷を●印で、偶数列の信号電荷を○印で、区別して示している。
【００３７】
図３に示すように、第１の奇数列露光期間８１において、光電変換素子１は受光する受光光量に比例した信号荷電を蓄積する。この信号荷電は第１フレーム８３での画像形成データとして使用される。このとき、固体撮像素子１００の垂直電荷転送部３および水平電荷転送部５は、図４（ａ）に示すように信号電荷が空の初期状態となっている。
【００３８】
ここで、垂直同期信号ＶＤ１のタイミングと同期して、奇数列読出しパルスＴＧＯ１を光電変換素子１と垂直電荷転送部３との間に設けられた読出しゲート（図示せず）に印加すると、２次元配列された光電変換素子１に蓄積されていた信号電荷の内、行方向の一端側から所定の列数毎（本実施形態では一例として１つ列毎）に配置される奇数列の光電変換素子（第１の素子列群）１に蓄積されていた信号電荷が、対応する垂直電荷転送部３、即ち奇数列の垂直電荷転送部３Ａに転送されて図４（ｂ）に示す状態となる（●印で示す）。
【００３９】
次いで、タイミング信号発生回路（図示せず）によって生成した垂直転送制御信号を各垂直電荷転送部３に、水平転送制御信号Ｈ１，Ｈを水平電荷転送部５にそれぞれ印加して、奇数列の垂直電荷転送部３Ａの信号荷電を１行ずつ水平電荷転送部５に転送する。水平電荷転送部５は、転送された１行分の信号電荷を水平方向に順次に転送して出力増幅器７で増幅し、出力端子ＯＵＴから出力する。各垂直電荷転送部３の列方向に形成されるポテンシャルバリア領域とポテンシャルウェル領域（電荷蓄積領域）の対からなる、全ての電荷転送段３ａの内、１/２の段数の垂直転送が終了すると、図４（ｃ）に示す状態となる。
【００４０】
この間に、第１の偶数列露光期間８５において光電変換素子１が受光光量に比例した信号荷電を蓄積する。この信号荷電は第２フレーム８７での画像形成データとして使用される。そして、偶数列読出しパルスＴＧＥ１を各光電変換素子１と垂直電荷転送部３との間に設けられた読出しゲートに印加して、第１の素子群列を除く残りの偶数列の光電変換素子（第２の素子群列）１に蓄積されていた信号電荷（○印）を、対応する垂直電荷転送部３、即ち偶数列の垂直電荷転送部３Ｂに転送する（図４（ｄ）参照）。
【００４１】
そして、垂直転送制御信号Ｖおよび水平転送制御信号Ｈ１，Ｈ２を各垂直電荷転送部３と、水平電荷転送部５とにそれぞれ印加して、奇数列の垂直電荷転送部３Ａおよび偶数列の垂直電荷転送部３Ｂの信号荷電を１行ずつ水平電荷転送部５に転送し、更に水平電荷転送部５は転送された１行分の信号電荷を順次水平方向に転送する。
【００４２】
垂直電荷転送部３（３Ａ，３Ｂ）の列方向に形成される全電荷転送段３ａの１/２の段数の転送が行われると、図４（ｅ）に示すように、第１の奇数列露光期間８１で生成されて奇数列の垂直電荷転送部３Ａに読み出された信号電荷（●印）がすべて出力され、第１の偶数列露光期間８５で生成されて偶数列の垂直電荷転送部３Ｂに読み出された信号電荷（○印）の内、半分が残った状態となる。
【００４３】
この信号処理を行う間に、第２の奇数列露光期間８９において信号荷電を光電変換素子１に蓄積し、第２の奇数列読出しパルスＴＧＯ２を光電変換素子１と垂直電荷転送部３との間に設けられた読出しゲートに印加し、奇数列の光電変換素子１に蓄積されていた信号電荷（●印）を、対応する垂直電荷転送部３、即ち、奇数列の垂直電荷転送部３Ａに再び転送すると、図４（ｆ）に示す状態となる。
【００４４】
そして、垂直転送制御信号Ｖおよび水平転送制御信号Ｈ１，Ｈ２を各垂直電荷転送部３と、水平電荷転送部５とにそれぞれ印加して、奇数列の垂直電荷転送部３Ａおよび偶数列の垂直電荷転送部３Ｂの信号荷電を１行ずつ水平電荷転送部５に転送し、更に水平電荷転送部５は転送された１行分の信号電荷を順次水平方向に転送して、垂直電荷転送部３の列方向に形成される全電荷転送段３ａの１/２の段数の転送を行う。
【００４５】
これにより、第１の偶数列露光期間８５で生成され偶数列の垂直電荷転送部３Ｂに読み出された信号電荷（○印）がすべて出力され、第２の奇数列露光期間８９で生成され奇数列の垂直電荷転送部３Ａに読み出された信号電荷（●印）だけが半分残った、図４（ｃ）に示す状態に戻る。これと同時に、第２の偶数列露光期間９１において光電変換素子１で受光し、受光光量に比例した信号荷電を光電変換素子１に蓄積する。
【００４６】
以後、同様に繰り返すことによって、電荷蓄積タイミングの異なる２種の信号電荷（奇数列の光電変換素子１に蓄積される信号電荷（●印）及び偶数列の光電変換素子１に蓄積される信号電荷（○印））、即ち、撮像タイミングの異なる２種のデジタル信号（画像信号）が固体撮像素子１００から同時に出力される。
【００４７】
なお、上記においては、奇数列露光期間および偶数列露光期間のいずれにおいても全ての光電変換素子に同時に信号電荷を蓄積し、信号電荷の読み出し時に不要な偶数列または奇数列の信号電荷を廃棄することになるが、この廃棄する分の信号電荷を次フレームの画像として出力する構成としてもよい。また、垂直転送については、全電荷転送段３ａの１／２を転送することに限らず、任意の１／ｎ（ｎは２以上の正整数）としてもよい。
【００４８】
電荷蓄積タイミングが異なり、同時期に出力される２種の出力信号は、図２に示すように、それぞれＡ／Ｄ変換回路３５によってデジタル信号に変換されて、セレクタ３７に出力される。セレクタ３７は、図５に示すように、この２種の出力信号を、奇数列の垂直電荷転送部３Ａからの信号を第１バッファ３９に、また偶数列の垂直電荷転送部３Ｂからの信号を第２バッファ４０に選択的に振り分ける信号処理を行う。
【００４９】
具体的には、図４（ｂ）から（ｃ）への遷移時に対応してＡ／Ｄ変換回路３５から連続して出力される奇数列の垂直電荷転送部３Ａの信号は、図５（ａ）に示すように、全て第１バッファ３９に蓄積される。図５（ａ）は、全電荷転送段３ａの１/２の段数の転送が終了した状態、即ち図４（ｃ）または（ｄ）に対応する状態である。
【００５０】
これ以後は、奇数列の垂直電荷転送部３Ａ及び偶数列の垂直電荷転送部３Ｂからの信号（●および○印）が交互にＡ／Ｄ変換回路３５から出力されるが、セレクタ３７が奇数列の垂直電荷転送部３Ａからの信号（●印）を第１バッファ３９に、また偶数列の垂直電荷転送部３Ｂからの信号（○印）を第２バッファ４０に選択的に振り分ける（図５（ｂ）参照）。これにより、第１バッファ３９には奇数列の垂直電荷転送部３Ａからの信号（●印）だけが蓄積され、第２バッファ４０には偶数列の垂直電荷転送部３Ｂからの信号（○印）だけが蓄積される。
【００５１】
図５（ｃ）は、奇数列の垂直電荷転送部３Ａの信号がすべて出力され、偶数列の垂直電荷転送部３Ｂの信号が半分出力された図４（ｅ）または（ｆ）に対応した状態である。第１の奇数列露光期間８１で生成されて奇数列の垂直電荷転送部３Ａに読み出された信号電荷（●印）に対応するすべての画像信号が第１バッファ３９に蓄積されると、該画像信号はデータバス６３（図２参照）に出力されて第１バッファ３９が空状態となる。
【００５２】
図５（ｄ）は、図４（ｆ）から（ｃ）への遷移時に対応した状態を示し、図５（ｅ）は、図４（ｃ）または（ｄ）に対応した状態であり、第１の偶数列露光期間８５で生成されて偶数列の垂直電荷転送部３Ｂに読み出された信号電荷（○印）に対応するすべての画像信号が第２バッファ４０に蓄積されると、該画像信号はデータバス６３に出力されて第２バッファ４０が空状態となる。これ以後は、セレクタ３７によって図５（ｅ），（ｃ），（ｄ），（ｅ）に示す順に、奇数列および偶数列の垂直電荷転送部３Ａ，３Ｂからの信号を振り分ける信号処理が繰り返し行われる。
【００５３】
このようにセレクタ３７によって振り分けられた奇数列の垂直電荷転送部３Ａ及び偶数列の垂直電荷転送部３Ｂからの信号は、表示制御部５７により表示部５５に表示される。しかし、図６に示すように、奇数列の垂直電荷転送部３Ａの信号に基づいて生成される第１のフレーム画像１０１と、偶数列の垂直電荷転送部３Ｂの信号に基づいて生成される第２のフレーム画像１０３とをそのまま合成すると、奇数列の光電変換素子１の空間配置位置と、偶数列の光電変換素子１の空間配置位置との相対的なずれが生じて、正しい画像とはならない。そこで、このずれ量に応じて、座標補正部５９（図２参照）によって第１のフレーム画像１０１の中心位置Ｐ１と、第２のフレーム画像１０３の中心位置Ｐ２とが画像合成後に一致せず、互いに異なる位置になるように座標補正を施す。これにより、撮像領域に正確に位置合わせされたフレーム画像に変換されて表示される。
【００５４】
なお、図３に示すように、奇数列の垂直電荷転送部３Ａの信号に基づいて生成される第１（奇数）のフレーム画像１０１は奇数列露光期間８１，８９，・・・で撮像された画像であり、偶数列の垂直電荷転送部３Ｂの信号に基づいて生成される第２（偶数）のフレーム画像１０３は、偶数列露光期間８５，９１，・・・で撮像された画像である。即ち、この固体撮像素子の駆動方法によれば、奇数列の垂直電荷転送部３Ａと、偶数列の垂直電荷転送部３Ｂとの露光タイミングが異なるので、第１（奇数）のフレーム画像１０１と第２の（偶数）フレーム画像１０３とを連続表示したときの時間差が均等になり、より滑らかな画像の出力が行え、動画画像の出力に好適となる。
【００５５】
上記したように、この固体撮像素子１００の駆動方法によれば、奇数列の垂直電荷転送部３Ａからの信号電荷と、偶数列の垂直電荷転送部３Ｂからの信号電荷と、を分割して転送し、それぞれを異なるフレーム画像１０１，１０３のデータとして扱うことにより、列方向の解像度を低下させることなく、列方向に間引いたフレーム画像を連続して得ることができる。また、奇数列および偶数列の垂直電荷転送部３Ａ，３Ｂからの信号電荷が、電荷転送部３により同時に転送されるため、転送効率が向上し、フレームレートが速められ、動画表示を行う場合に画面表示を滑らかにできる。
【００５６】
（第２実施形態）
次に、カラー画像を撮影可能な固体撮像素子の駆動方法および信号処理方法について図７および図８に基づいて説明する。
図７は各光電変換素子が検出する色成分の一配置例を示す概念平面図、図８は奇数列の光電変換素子（第１の素子列群）が検出する色成分（ａ）と、偶数列の光電変換素子（第２の素子列群）が検出する色成分（ｂ）を示す説明図である。
【００５７】
図７に示すように、本実施形態の固体撮像素子１００は、多数の光電変換素子１が一行毎に半ピッチずらされたパターン（所謂ハニカム配列）を形成するように配置されている。それぞれの光電変換素子１の受光面の前面には光学フィルタが配置され、該光学フィルタの分光特性によって、各光電変換素子１が検出する色成分が予め定められている。
【００５８】
図７に示すカラー配置例では、図中上側からＧＲＧＲ・・・の順で配置された第１光電変換素子列と、ＢＧＢＧ・・・の順で配置された第２光電変換素子列とが、それぞれ第１の列および第２の列として２列ずつの組とされて、交互に繰り返して配置されている。即ち、第１列Ｃ１および第２列Ｃ２の光電変換素子１には、列方向に沿ってＧＲＧＲ・・・の順で配列され、第３列Ｃ３および第４列Ｃ４の光電変換素子１には、列方向に沿ってＢＧＢＧ・・・の順で配列され、以後、行方向に同様の配列が繰り返される。
【００５９】
このように配列された固体撮像素子１００は、第１実施形態で既に説明した（図３〜図５参照）、本発明の固体撮像素子の駆動方法および信号処理方法に従って、奇数列（Ｃ１，Ｃ３，Ｃ５，・・・  ：第１の素子列群）の光電変換素子１の信号電荷と、偶数列（Ｃ２，Ｃ４，Ｃ６，・・・  ：第２の素子列群）の光電変換素子１の信号電荷とが、分割して交互に読み出されて処理される。
【００６０】
奇数列の信号電荷（Ｃ１，Ｃ３，・・・）の読み出しによって読み出される色配列は、図８（ａ）に示すように、行方向および列方向の配列ピッチが同じピッチを有し、Ｇが市松状に配列され、Ｒ，ＢがＧの隙間に配置された、所謂、ベイヤー配列となる。また、偶数列の信号電荷（Ｃ２，Ｃ４，・・・）の読み出しによって読み出される色配列も、図８（ｂ）に示すように、行方向および列方向の配列ピッチが同じピッチを有するベイヤー配列となる。
【００６１】
従って、この固体撮像素子１００から読み出される画像信号に基づいて形成されるカラー画像は、行方向および列方向に対する配列ピッチが一致しており、従って解像度の方向依存性がなく、高い解像度を有し、且つ色再現性がよい高画質の画像となる。
【００６２】
（第３実施形態）
次に、光電変換素子が正方格子配列され、カラー画像を撮影可能な固体撮像素子の駆動方法および信号処理方法について、図９〜図１２に基づいて説明する。図９は正方格子配列された各光電変換素子が検出する色成分の一配置例を示す概念平面図、図１０は奇数列の光電変換素子が検出する色成分（ａ）と、偶数列の光電変換素子が検出する色成分（ｂ）を示す説明図である。
【００６３】
図９に示すカラー配置例では、Ｇの色成分を検出する一対の光電変換素子１が列方向に沿って配置された第１ブロックＢ１と、Ｒの色成分を検出する一対の光電変換素子１が列方向に沿って配置された第２ブロックＢ２と、の複数ブロックＢ１，Ｂ２が、列方向に沿って繰り返し配置された第１光電変換素子列、およびＢの色成分を検出する一対の光電変換素子１が列方向に沿って配置された第３ブロックＢ３と、上記の第１ブロックＢ１と同様の第４ブロックＢ４と、の複数ブロックＢ３，Ｂ４が列方向に沿って繰り返し配置された第２光電変換素子列が、それぞれ２列ずつ組とされて、交互に行方向に繰り返し配置されている。
【００６４】
即ち、第１列（Ｃ１）および第２列（Ｃ２）の光電変換素子１には、列方向に沿ってＧＧＲＲＧＧＲＲ・・・の順で配列され、第３列（Ｃ３）および第４列（Ｃ４）の光電変換素子１には、列方向に沿ってＢＢＧＧＢＢＧＧ・・・の順で配列され、以後、行方向に同様の配列が繰り返される。
【００６５】
このような配列を有する固体撮像素子１００の奇数列の信号電荷（Ｃ１，Ｃ３，・・・）の読み出しによって読み出される色配列は、図１０（ａ）に示すように、第１ブロックＢ１（ＧＧ）および第２ブロックＢ２（ＲＲ）が列方向に沿って交互に配列された列と、第３ブロックＢ３（ＢＢ）および第４ブロックＢ４（ＧＧ）が列方向に沿って交互に配列された列と、からなる。これは、ブロック単位で見ると、第１ブロックＢ１（ＧＧ）および第４ブロックＢ４（ＧＧ）で市松状に配列され、第２ブロックＢ２（ＲＲ）と第３ブロック（ＢＢ）がＧＧ以外の領域に配置された、所謂、ベイヤー配列となる。また、偶数列の信号電荷（Ｃ２，Ｃ４，・・・）の読み出しによって読み出される色配列も同様であり、図１０（ｂ）に示すように、ベイヤー配列となる。
【００６６】
奇数列（Ｃ１，Ｃ３，・・・）および偶数列（Ｃ２，Ｃ４，・・・）ごとに分けて読み出されるそれぞれの信号電荷は、同一列内にある同じブロック（Ｂ１，Ｂ２，Ｂ３，Ｂ４）内の信号電荷が電荷加算されて画素混合される。図１１は図１０に示す第１列（Ｃ１）内の同一ブロックの信号電荷が垂直電荷転送部で電荷加算される状態（ａ）〜（ｄ）を示す説明図、図１２は電荷加算された信号電荷に基づいて形成されるフレーム画像の拡大図である。
【００６７】
図１１（ａ）に示すように、露光期間での露光により第１列（Ｃ１）の各光電変換素子１には、受光光量に比例した信号電荷（Ｇ画素およびＲ画素の信号電荷、以下、単にＧ電荷およびＲ電荷と称する）が蓄積される。ここで、奇数行の読出し電極に読み出しパルスを印加すると、図１１（ｂ）に示すように、各光電変換素子１に蓄積されているＧ電荷およびＲ電荷は、対応する垂直電荷転送部３の電荷転送段３ａに転送されて読み出される。
【００６８】
図１１（ｃ）に示すように、垂直電荷転送部３に垂直転送制御信号を印加して、垂直電荷転送部３のＧ電荷およびＲ電荷を電荷転送段３ａの１段分、水平電荷転送部５方向に転送すると、読み出されずに偶数行の光電変換素子１に残っている信号電荷と、１段分だけ転送されて垂直電荷転送部３にある信号電荷とは、同じ色成分の信号電荷（Ｇ電荷およびＲ電荷）が同じ行に位置される。
【００６９】
ここで、図１１（ｄ）に示すように、偶数行の読出し電極に読み出しパルスを印加して、偶数行の光電変換素子１の信号電荷を垂直電荷転送部３に読み出すと、２つのＧ電荷およびＲ電荷が電荷加算されて２Ｇ電荷、２Ｒ電荷となり、画素混合される。
【００７０】
なお、上記の説明においては、第１列（Ｃ１）の光電変換素子１について述べたが、他の奇数列の信号電荷（Ｃ３，Ｃ５，・・・）についても、また図１０（ｂ）に示す偶数列の信号電荷（Ｃ２，Ｃ４，・・・）についても、同様に信号処理され、電荷加算されて画素混合される。
【００７１】
このように電荷加算されて読み出される奇数列の信号電荷２Ｇ，２Ｒ，２Ｇ，２Ｂに基づいて第１のフレーム画像を形成し、偶数列の信号電荷２Ｇ，２Ｒ，２Ｇ，２Ｂに基づいて第２のフレーム画像を形成する。図１２に示すように、４個の光電変換素子１からの信号電荷をまとめて１つの画素の画像を形成すれば、行方向および列方向に対する配列ピッチを一致させることができ、水平、垂直方向の解像度が一定のベイヤー配列で検出された画像データが得られる。
【００７２】
また上記したように、固体撮像素子１００側で電荷加算して転送することで、画像信号取り出し後の後処理でデータを画像加算するための演算が不要となり、処理速度を向上することができる。
なお、本発明は、前述した各実施形態に限定されるものではなく、適宜、変形、改良、等が可能である。
【図面の簡単な説明】
【００７３】
【図１】本発明に係る固体撮像素子の基本構成を示すブロック図である。
【図２】図１に示す固体撮像素子を搭載した撮像装置のブロック図である。
【図３】本発明の固体撮像素子の駆動手順を示すタイミングチャートである。
【図４】垂直電荷転送部における信号電荷の転送の状態（ａ）〜（ｆ）を示す概念説明図である。
【図５】デジタル信号が撮像装置のセレクタによって振り分けられて信号処理される状態（ａ）〜（ｅ）を示す概念説明図である。
【図６】露光タイミングが異なる第１のフレーム画像と第２のフレーム画像とが位置補正されて表示された画像を示す説明図である。
【図７】各光電変換素子が検出する色成分の一配置例を示す概念平面図である。
【図８】奇数列の光電変換素子が検出する色成分（ａ）と、偶数列の光電変換素子が検出する色成分（ｂ）を示す説明図である。
【図９】正方格子配列された各光電変換素子が検出する色成分の一配置例を示す概念平面図である。
【図１０】奇数列の光電変換素子が検出する色成分（ａ）と、偶数列の光電変換素子が検出する色成分（ｂ）を示す説明図である。
【図１１】図１０に示す第１列に配置された光電変換素子の同一ブロックの信号電荷が垂直電荷転送部で電荷加算される状態（ａ）〜（ｄ）を示す説明図である。
【図１２】電荷加算された信号電荷に基づいて形成されるフレーム画像の拡大図である。
【図１３】従来の固体撮像素子の駆動手順を示すタイミングチャートである。
【図１４】従来の固体撮像素子の垂直電荷転送部における信号電荷の転送の状態（ａ）〜（ｄ）を示す概念説明図である。
【符号の説明】
【００７４】
１  光電変換素子（光電変換部）
３  垂直電荷転送部（電荷転送部）
３Ａ  奇数列の垂直電荷転送部（電荷転送部）
３Ｂ  偶数列の垂直電荷転送部（電荷転送部）
３ａ  電荷転送段
５  水平電荷転送部（電荷転送部）
１９  ＣＰＵ（制御手段）
３７  セレクタ（信号処理手段）
５９  座標補正部（信号処理手段）
８１，８９  奇数列露光期間（受光期間）
８５，９１  偶数列露光期間（受光期間）
１００  固体撮像素子
１０１  第１のフレーム画像
１０３  第２のフレーム画像
２００  撮像装置
Ｂ１  第１ブロック
Ｂ２  第２ブロック
Ｂ３  第３ブロック
Ｂ４  第４ブロック
Ｂ  信号電荷
Ｇ  信号電荷
Ｒ  信号電荷
ＯＵＴ  出力端子（出力部）
【図１】
2009141578.tif 000003
【図２】
2009141578.tif 000004
【図３】
2009141578.tif 000005
【図４】
2009141578.tif 000006
【図５】
2009141578.tif 000007
【図６】
2009141578.tif 000008
【図７】
2009141578.tif 000009
【図８】
2009141578.tif 000010
【図９】
2009141578.tif 000011
【図１０】
2009141578.tif 000012
【図１１】
2009141578.tif 000013
【図１２】
2009141578.tif 000014
【図１３】
2009141578.tif 000015
【図１４】
2009141578.tif 000016